【手続補正書】
【提出日】平成16年3月16日(2004.3.16)
【手続補正１】
【補正対象書類名】明細書
【補正対象項目名】発明の名称
【補正方法】変更
【補正の内容】
【発明の名称】画像印刷システム、サーバシステムおよび方法


【手続補正２】
【補正対象書類名】明細書
【補正対象項目名】特許請求の範囲
【補正方法】変更
【補正の内容】
【特許請求の範囲】
【請求項１】
画像を印刷するシステムであって、
サーバコンピュータと、
プリンタと、
前記プリンタに接続されたクライアントコンピュータと、
を備え、前記サーバコンピュータは、
複数の画像を表すデータを記憶するメモリと、
インターネット上での通信を可能にするサーバウェブインターフェースと、
前記インターネットを介して前記サーバウェブインターフェースに接続された前記クライアントコンピュータを用いて画像が印刷されるのを可能にする画像印刷アプリケーションと、
印刷用の画像を向上させる画像向上モジュールと、
を有し、前記クライアントコンピュータは、
インターネット上での通信を可能にするクライアントウェブインターフェースと、
前記プリンタにより印刷するための画像を表す画像データを生成するプリンタドライバと、
を有し、
前記サーバコンピュータは、前記クライアントコンピュータからの印刷要求に応答して、画像データ及び前記画像向上モジュールを前記クライアントコンピュータへ伝送すると共に前記画像印刷アプリケーションを起動し、これにより前記プリンタドライバ用の印刷命令を生成し、前記クライアントコンピュータ内で印刷に先立ち前記画像向上モジュールを用いて向上された画像データを生成し、前記向上された画像データを印刷し、印刷の直後に前記クライアントコンピュータから前記向上された画像データを削除するようなウェブサーバを有することを特徴とする画像印刷システム。
【請求項２】
請求項１に記載の画像印刷システムであって、前記画像印刷アプリケーションは、装置非依存型コードで書かれていると共に、前記サーバコンピュータにより前記クライアントコンピュータからの印刷要求に応答して該クライアントコンピュータへ伝送されることを特徴とする画像印刷システム。
【請求項３】
請求項１に記載の画像印刷システムであって、前記画像向上モジュールは装置非依存型コードで書かれていることを特徴とする画像印刷システム。
【請求項４】
画像を印刷するシステムであって、
サーバコンピュータと、
プリンタと、
複数の画像を表すデータを記憶するメモリ装置と、
前記プリンタ及び前記メモリ装置に接続されたクライアントコンピュータと、
を備え、前記サーバコンピュータは、
インターネット上での通信を可能にするサーバウェブインターフェースと、
装置非依存型コードで書かれ、前記インターネットを介して前記サーバウェブインターフェースに接続された前記クライアントコンピュータを用いて画像が印刷されるのを可能にする画像印刷アプリケーションと、
を有し、前記クライアントコンピュータは、
前記インターネット上での通信を可能にするクライアントウェブインターフェース、
を有し、
前記サーバコンピュータは、前記クライアントコンピュータからの印刷要求に応答して、前記装置非依存型コードで書かれた画像印刷アプリケーションを前記クライアントコンピュータへ伝送するウェブサーバを有し、前記画像印刷アプリケーションは前記クライアントコンピュータにより受信されると起動されて、前記メモリ装置から画像データを読み取り、該画像データを前記プリンタ上で印刷することを特徴とする画像印刷システム。
【請求項５】
請求項４に記載の画像印刷システムであって、印刷のために画像を向上させる画像向上モジュールを更に有し、該画像向上モジュールは装置非依存型コードで書かれると共に、前記サーバコンピュータにより前記クライアントコンピュータからの印刷要求に応答して該クライアントコンピュータに伝送されることを特徴とする画像印刷システム。
【請求項６】
請求項５に記載の画像印刷システムであって、前記画像印刷アプリケーションは前記クライアントコンピュータにより受信されると起動されて、前記メモリ装置から画像データを読み取り、更に前記クライアントコンピュータ内で印刷に先立ち前記画像向上モジュールを用いて向上された画像データを生成し、前記向上された画像データを印刷し、印刷直後に前記向上された画像データを前記クライアントコンピュータから削除することを特徴とする画像印刷システム。
【請求項７】
画像を印刷する方法であって、
複数の画像を表すデータをサーバコンピュータのメモリに記憶するステップと、
インターネットを介して前記サーバコンピュータに接続されたクライアントコンピュータを用いて画像が印刷されるのを可能にする画像印刷アプリケーションを設けるステップと、
前記クライアントコンピュータを用いて印刷する画像を向上させる画像向上モジュールを設けるステップと、
前記インターネットを介して前記クライアントコンピュータから画像データ印刷要求を受信するステップと、
前記クライアントコンピュータに画像データと前記画像向上モジュールとを送信するステップと、
前記画像印刷アプリケーションを起動して、前記クライアントコンピュータにおけるプリンタドライバ用の印刷命令を生成するステップと、
前記クライアントコンピュータであって印刷に先立ち前記画像向上モジュールを用いて向上された画像データを生成するステップと、
前記向上された画像データを印刷するステップと、
印刷の直後に前記向上された画像データを前記クライアントコンピュータから削除するステップと、
を備えていることを特徴とする画像印刷方法。
【請求項８】
画像を印刷する方法であって、
複数の画像を表すデータをクライアントコンピュータに接続されるメモリ装置に記憶するステップと、
サーバコンピュータ上に、インターネットを介して前記サーバコンピュータに接続される前記クライアントコンピュータを用いて画像が印刷されるのを可能にするような装置非依存型コードで書かれた画像印刷アプリケーションを設けるステップと、
前記インターネットを介して前記クライアントコンピュータから画像データ印刷要求を受信するステップと、
前記クライアントコンピュータに前記装置非依存型コードで書かれた画像印刷アプリケーションを送信するステップと、
前記画像印刷アプリケーションを前記クライアントコンピュータにより受信されると起動して、前記メモリ装置から画像データを読み取ると共に、該画像データを前記クライアントコンピュータに接続されたプリンタ上で印刷するステップと、
を備えていることを特徴とする画像印刷方法。
【請求項９】
複数の画像を表すデータを記憶するメモリと、
インターネット上での通信を可能にするサーバウェブインターフェースと、
前記インターネットを介して前記サーバウェブインターフェースに接続されるクライアントコンピュータを用いて画像が印刷されるのを可能にする画像印刷アプリケーションと、
印刷用の画像を向上させる画像向上モジュールと、
前記クライアントコンピュータからの印刷要求に応答して、画像データ及び前記画像向上モジュールを前記クライアントコンピュータへ伝送すると共に前記画像印刷アプリケーションを起動し、これにより印刷命令を生成し、前記クライアントコンピュータ内で印刷に先立ち前記画像向上モジュールを用いて向上された画像データを生成させ、前記向上された画像データを印刷させ、印刷の直後に前記クライアントコンピュータから前記向上された画像データを削除させるようなウェブサーバと、
を備えるサーバシステム。
【請求項１０】
インターネット上での通信を可能にするサーバウェブインターフェースと、
装置非依存型コードで書かれ、前記インターネットを介して前記サーバウェブインターフェースに接続されるクライアントコンピュータを用いて画像が印刷されるのを可能にする画像印刷アプリケーションと、
前記クライアントコンピュータからの印刷要求に応答して、前記装置非依存型コードで書かれた画像印刷アプリケーションを前記クライアントコンピュータへ伝送するウェブサーバと、
を備え、
前記画像印刷アプリケーションは前記クライアントコンピュータにより受信されると起動されて、画像データを印刷させる、サーバシステム。
【請求項１１】
複数の画像を表すデータを記憶する記憶工程と、
インターネット上での通信を可能にする通信可能工程と、
前記インターネットを介して接続されるクライアントコンピュータを用いて画像が印刷されるのを可能にする画像印刷可能工程と、
印刷用の画像を向上させる画像向上工程と、
前記クライアントコンピュータからの印刷要求に応答して、画像データ及び前記画像向上工程における画像向上の指示を前記クライアントコンピュータへ伝送すると共に前記画像印刷可能工程における画像印刷を可能にし、これにより印刷命令を生成し、前記クライアントコンピュータ内で印刷に先立ち前記画像向上工程を用いて向上された画像データを生成させ、前記向上された画像データを印刷させ、印刷の直後に前記クライアントコンピュータから前記向上された画像データを削除させる工程と、
を備える方法。
【請求項１２】
インターネット上での通信を可能にする通信可能工程と、
装置非依存型コードで書かれ、前記インターネットを介して接続されるクライアントコンピュータを用いて画像が印刷されるのを可能にする画像印刷可能工程と、
前記クライアントコンピュータからの印刷要求に応答して、前記装置非依存型コードで書かれた画像印刷アプリケーションを前記クライアントコンピュータへ伝送する伝送工程と、
を備え、
前記画像印刷アプリケーションは前記クライアントコンピュータにより受信されると起動されて、画像データを印刷させる、方法。